(57)【要約】      （修正有）【課題】洗濯物の悪臭を中和するまたはマスクするための組成物および方法の提供。【解決手段】３−ベンジル−テトラヒドロピランを含む洗濯用組成物を用意するステップ；洗濯物と接触させるための液体媒体と洗濯用組成物を組み合わせるステップ、および洗濯用組成物を含む液体媒体と洗濯物を接触させるステップを含む。液体媒体中の３−ベンジル−テトラヒドロピランの濃度は、洗濯用組成物の質量に対して少なくとも１５ｐｐｍである。本組成物は、洗浄性組成物または柔軟剤組成物として配合してもよい。【選択図】なし【特許請求の範囲】
【請求項１】
洗濯物の悪臭を中和するまたはマスクするための方法であって、
３−ベンジル−テトラヒドロピランを含む洗濯用組成物を用意するステップ；
前記洗濯物と接触させるための液体媒体と前記洗濯用組成物を組み合わせるステップであって、前記洗濯用組成物中の３−ベンジル−テトラヒドロピランの濃度は前記洗濯用組成物の全質量に対して少なくとも１５ｐｐｍであるステップ；および
前記洗濯用組成物を含む前記液体媒体と前記洗濯物を接触させるステップ
を含む方法。
【請求項２】
前記液体媒体は水を含み、前記洗濯用組成物は織物柔軟剤組成物である、請求項１に記載の方法。
【請求項３】
前記織物柔軟剤組成物はシリコンポリマーもしくは化合物、カチオン性アンモニウムまたはイミダゾリニウムポリマーもしくは化合物、およびそれらの組み合わせからなる群から選択される織物柔軟剤活性物質を含む、請求項２に記載の方法。
【請求項４】
前記洗濯用組成物中の３−ベンジル−テトラヒドロピランの濃度は約１５ｐｐｍ〜約４００ｐｐｍの範囲にある、請求項１〜３のいずれか一項に記載の方法。
【請求項５】
前記洗濯用組成物中の３−ベンジル−テトラヒドロピランの濃度は、前記液体媒体中のまたは前記洗濯物内もしくは前記洗濯物上に含まれる細菌増殖を抑制するおよび／または細菌を殺すのに十分である、請求項１〜４のいずれか一項に記載の方法。
【請求項６】
前記洗濯用組成物中の３−ベンジル−テトラヒドロピランの濃度は約１６０ｐｐｍ〜約４００ｐｐｍの範囲にある、請求項１〜５のいずれか一項に記載の方法。
【請求項７】
前記洗濯物は織物、不織物、スポンジ、マクロポーラス合成樹脂、天然繊維、合成繊維およびそれらの組み合わせからなる群から選択される材料を含む、請求項１〜６のいずれか一項に記載の方法。
【請求項８】
３−ベンジル−テトラヒドロピランと、
洗浄性界面活性剤または織物柔軟剤活性物質とを含み、
前記洗浄性界面活性剤はアニオン性界面活性剤、非イオン界面活性剤およびそれらの組み合わせからなる群から選択され、前記織物柔軟剤活性物質はシリコンポリマーもしくは化合物、カチオン性アンモニウムまたはイミダゾリニウムポリマーもしくは化合物およびそれらの組み合わせからなる群から選択される、
洗濯物の悪臭を中和するまたはマスクするための洗濯用組成物。
【請求項９】
前記洗濯用組成物は織物柔軟剤活性物質を含む、請求項８に記載の洗濯用組成物。
【請求項１０】
前記洗濯用組成物中の３−ベンジル−テトラヒドロピランの濃度は少なくとも１５ｐｐｍである、請求項８または９に記載の洗濯用組成物。
【請求項１１】
前記洗濯用組成物中の３−ベンジル−テトラヒドロピランの濃度は約１５ｐｐｍ〜約４００ｐｐｍの範囲にある、請求項８〜１０のいずれか一項に記載の洗濯用組成物。
【請求項１２】
前記洗濯用組成物中の３−ベンジル−テトラヒドロピランの濃度は約１６０ｐｐｍ〜約３２０ｐｐｍの範囲にある、請求項８〜１１のいずれか一項に記載の洗濯用組成物。
【発明の詳細な説明】
【技術分野】
【０００１】
本発明は一般に悪臭中和組成物に関し、より詳細にはモラクセラ・オスロエンシス（Ｍｏｒａｘｅｌｌａ  ｏｓｌｏｅｎｓｉｓ）（グラム陰性）および黄色ブドウ球菌（Ｓｔａｐｈｙｌｏｃｏｃｃｕｓ  ａｕｒｅｕｓ）（グラム陽性）などの臭気原因菌から発生する悪臭をマスクするまたは中和することができる、３−ベンジル−テトラヒドロピランを含む組成物に関する。
【背景技術】
【０００２】
下着、タオル、ハンカチーフおよび同種のものを含むヒト皮膚と直接接触する織物製品は、皮脂、角質物質および同種のものを含む汗を吸収または付着させる可能性がある。これらの織物製品は、湿ったときに特徴的な「汚れた濡れ雑巾臭（ｗｅｔ−ａｎｄ−ｄｉｒｔｙ−ｄｕｓｔｃｌｏｔｈ−ｍａｌｏｄｏｒ）」または「酸臭または汗臭（ａｃｉｄｉｃ  ｏｒ  ｓｗｅａｔｙ  ｏｄｏｒ）」を発生しやすい。この現象は、洗濯後、洗濯した織物製品を洗濯機の槽内など湿気のあるところに長時間そのままにしておく場合、または乾燥が不十分な場合に観察されてきた。さらに、洗濯して屋内で風乾した織物製品の場合も、製品がいったん雨または汗で濡れると悪臭がすぐに生じる。この悪臭は一般に「生乾きによる悪臭」と呼ばれる。
【０００３】
興味深いことに、以前に洗濯した一部の織物製品の生乾きによる悪臭は、洗濯後、織物製品を十分に乾燥させることにより一時的に除去することができる。しかしながら、生乾きによる悪臭は、使用時または織物製品が濡れたとき（たとえば、汗、雨または同種のものによる）、再発生することがある。これは、生乾きによる悪臭がない、洗濯して乾いた織物製品からでも起こり得る。
【０００４】
この生乾きによる悪臭の再発生は、織物製品を屋内で乾燥させた場合だけでなく、乾燥機または低温乾燥機能を備えた洗濯機を使用する場合のほか、屋外で乾燥させた織物製品でも織物製品が濡れた場合に起こることがある。生乾きによる悪臭の再発生は、織物製品を洋服ダンスまたは同種のものに長時間保管するときも生じ得る。
【０００５】
特許文献１および非特許文献１で報告された先行研究から、洗い物においてモラクセラ・オスロエンシスのほか黄色ブドウ球菌などの微生物が皮脂、汗または土と組み合わされると、洗った後でも残存して、生乾きによる悪臭を放つ化合物が生じることが明らかにされる。そのため、特許文献１には、ケトン、ラクトンまたはエステル官能基を有する様々な生乾き臭制御剤を含むスプレー式アルコール溶液でこれらの微生物を抑制または除去することが、この問題に対処する１つの方法であることが開示されている。
【０００６】
上記に鑑み、生乾きによる悪臭を脱臭、抑制または除去するための新規な組成物および方法が求められている。
【先行技術文献】
【特許文献】
【０００７】
【特許文献１】日本国特許第５７６７８３１（Ｂ２）号
【非特許文献】
【０００８】
【非特許文献１】Ｋｕｂｏｔａ  ｅｔ  ａｌ．「Ｍｏｒａｘｅｌｌａ  Ｓｐｅｃｉｅｓ  Ａｒｅ  Ｐｒｉｍａｒｉｌｙ  Ｒｅｓｐｏｎｓｉｂｌｅ  ｆｏｒ  Ｇｅｎｅｒａｔｉｎｇ  Ｍａｌｏｄｏｒ  ｉｎ  Ｌａｕｎｄｒｙ」，Ａｐｐｌ．Ｅｎｖｉｒｏｎ．Ｍｉｃｒｏｂｉｏｌ．，２０１２，７３：３３１７−３３２４
【発明の概要】
【課題を解決するための手段】
【０００９】
本発明は、媒体中の有効濃度の３−ベンジル−テトラヒドロピランが支持体における生乾きによる悪臭を脱臭、抑制または除去することができるという認識に基づいている。
【００１０】
よって、本発明の実施形態によれば、洗濯物の悪臭を中和するまたはマスクするための方法が提供される。本方法は、３−ベンジル−テトラヒドロピランを含む洗濯用組成物を用意するステップ；洗濯物と接触させるための液体媒体と洗濯用組成物を組み合わせるステップ、および洗濯用組成物を含む液体媒体と洗濯物を接触させるステップを含む。液体媒体中の３−ベンジル−テトラヒドロピランの濃度は、洗濯用組成物の全質量に対して少なくとも１５ｐｐｍである。
【００１１】
本発明の別の実施形態によれば、洗濯物の悪臭を中和するまたはマスクするための洗濯用組成物が提供される。本組成物は、３−ベンジル−テトラヒドロピランと、洗浄性界面活性剤または織物柔軟剤活性物質とを含み、洗浄性界面活性剤はアニオン性界面活性剤、非イオン界面活性剤およびそれらの組み合わせからなる群から選択され、織物柔軟剤活性物質はシリコンポリマーもしくは化合物、カチオン性アンモニウムまたはイミダゾリニウムポリマーもしくは化合物およびそれらの組み合わせからなる群から選択される。
【００１２】
本発明の目的および利点は、以下の詳細な説明および例を踏まえればさらに理解されよう。
【００１３】
本明細書に援用され、本明細書の一部を構成する添付図面は、本発明の実施形態を例証するものであり、上記の本発明の概要および下記の詳細な説明と共に本発明の原理を説明するのに役立つ。各図では、見やすいように、かつ適切と見なされる場合、同じ特徴を示すため参照番号を繰り返したことが理解されよう。
【図面の簡単な説明】
【００１４】
【図１】図１は、３−ベンジル−テトラヒドロピランを含むまたは含まないサンプルについて、サンプルのヘッドスペースにおけるアンモニア濃度を経時的にプロットしたものである。
【図２】図２は、３−ベンジル−テトラヒドロピランを含むまたは含まないサンプルについて、サンプルのヘッドスペースにおけるトリメチルアミン濃度を経時的にプロットしたものである。
【図３】図３は、３−ベンジル−テトラヒドロピランを含むまたは含まないサンプルについて、サンプルのヘッドスペースにおけるメチルメルカプタン濃度を経時的にプロットしたものである。
【図４】図４は、３−ベンジル−テトラヒドロピランを含むまたは含まないサンプルについて、サンプルのヘッドスペースにおけるジアセチル濃度を経時的にプロットしたものである。
【図５Ａ】図５Ａは、０．０×、０．５×、１．０×、２．０×および３．０×ｐｐｍの３−ベンジル−テトラヒドロピランを含む１０ｐｐｍ（ｗ／ｗ）のイソ吉草酸サンプルの感覚スコアをプロットしたものである。
【図５Ｂ】図５Ｂは、０．０×、０．５×、１．０×、２．０×および３．０×ｐｐｍの３−ベンジル−テトラヒドロピランを含む５ｐｐｍのノネナールサンプルの感覚スコアをプロットしたものである。
【図６Ａ】図６Ａは、図５Ａで使用された０．０×および３．０×サンプルのヘッドスペースにおけるイソ吉草酸濃度のガスクロマトグラフィー解析をプロットしたものである。
【図６Ｂ】図６Ｂは、５Ｂで使用された０．０×および３．０×サンプルのヘッドスペースにおけるノネナール濃度のガスクロマトグラフィー解析をプロットしたものである。
【発明を実施するための形態】
【００１５】
本発明は一般に香粧品香料の分野に関し、より詳細にはモラクセラ・オスロエンシス（グラム陰性）および黄色ブドウ球菌（グラム陽性）などの臭気原因菌から発生する悪臭をマスクするまたは中和することができる、３−ベンジル−テトラヒドロピランを含む悪臭中和組成物に関する。
【００１６】
本発明の実施形態によれば、洗濯物の悪臭を中和するまたはマスクするための洗濯用組成物が提供される。本組成物は、洗濯用粉末洗剤、洗濯用液体洗剤または織物柔軟剤組成物などの洗濯用製品に配合される３−ベンジル−テトラヒドロピランを含む。国際公開第２００６／０２１６６３号に報告されているように、本発明の悪臭中和剤（すなわち、３−ベンジル−テトラヒドロピラン）は芳香性であり、ゼラニウム、ウッディ、フェノール系、ラクトン系と称され、さらにグリーン、渋み、ウッディ香気と共に天然ルバーブノートを有するものと称され、香粧品香料組成物または香水に使用するのに好適である。３−ベンジル−テトラヒドロピランは、ヴェ・マン・フィス（Ｖ．ＭＡＮＥ  ＦＩＬＳ）から仏国登録商標ＢＥＴＡＨＹＤＲＡＮＥという商品名で販売されている。
【００１７】
本発明の別の実施形態によれば、洗濯物の悪臭を中和するまたはマスクするための方法が提供される。本方法は、３−ベンジル−テトラヒドロピランを含む洗濯用組成物を用意するステップ；洗濯物と接触させるための液体媒体と洗濯用組成物を組み合わせるステップ、および洗濯用組成物を含む液体媒体と洗濯物を接触させるステップを含む。液体媒体中の３−ベンジル−テトラヒドロピランの濃度は、洗濯用組成物の全質量に対して少なくとも１５ｐｐｍである。
【００１８】
本明細書で使用する場合、「洗濯用製品」は洗濯用粉末洗剤、洗濯用液体洗剤または織物柔軟剤組成物を含む。
【００１９】
本明細書で使用する場合、「芳香性」という用語は、化合物が匂いを放つことを意味する。
【００２０】
本明細書で使用する場合、「香水」という用語は、この用語の通常の意味での香水だけでなく、製品の匂いが重要である他の分野も意味する。これらは、香料ベースおよび濃縮物、オーデコロン、オードトワレ、香粧品香料および同様の製品などこの用語の通常の意味での香水組成物であってもよい。
【００２１】
香水組成物に導入される３−ベンジル−テトラヒドロピランの量は、組成物の性質、所望の芳香効果および存在してもよい他の芳香性または非芳香性化合物の性質のほか、洗浄およびすすぎに応じて変わってもよく、０．１重量％〜９９重量％、特に０．１重量％〜５０重量％、とりわけ０．１重量％〜３０重量％の非常に広範囲内で変わってもよいことを踏まえて、当業者により容易に決定することができる。
【００２２】
３−ベンジル−テトラヒドロピランは、単独の芳香剤として使用してもよいし、あるいは香水でよく見られるように、所望の効果に応じて当業者が選択することができる１種または複数種の他の芳香性化合物との混合物中にあってもよい。３−ベンジル−テトラヒドロフランと組み合わせて使用できる香粧品香料（単数または複数）に対して特定の制限は存在しない。追加の芳香剤（単数または複数）は、当業者に公知の他の芳香剤であってもよい。例示的芳香物として、以下に限定されるものではないが、炭化水素香料、アルコール香料、エーテル香料、アルデヒド香料、ケトン香料、エステル香料、ラクトン香料または環状ケトン香料等が挙げられる。洗濯用組成物中の３−ベンジル−テトラヒドロピラン含有香料成分の含有量は特に限定されるものではなく、好ましくは０．０１質量％〜１０質量％、一層好ましくは０．０１質量％〜５．０質量％、特に好ましくは０．０２質量％〜２．０質量％である。
【００２３】
３−ベンジル−テトラヒドロピラン含有香水組成物は、未希釈で使用してもよいし、あるいは不活性な支持材料または最終組成物の他の活性成分を含んでもよい材料中もしくは材料上に導入してもよい。たとえば、極性溶媒、油、グリース、微粉化固体、シクロデキストリン、マルトデキストリン、ガム、樹脂およびそうした組成物用で知られた他の任意の支持材料を含む多種多様な支持材料を使用してもよい。３−ベンジル−テトラヒドロピラン含有香水組成物は、封入されていてもよい。
【００２４】
洗濯用粉末洗剤は一般に、５〜３０重量％のアニオン性界面活性剤、たとえばアルキルベンゼンスルホネート、脂肪酸石鹸、アルコールスルフェートまたはアルファ−オレフィンスルホネート；１〜１０％の非イオン界面活性剤、たとえばポリエトキシル化アルコール；０〜５％の増泡剤、たとえばアルカノールアミド；３５〜６０％の無機ビルダー／充填剤、たとえばトリポリリン酸ナトリウム、ゼオライト、炭酸ナトリウム、硫酸ナトリウムまたはケイ酸ナトリウム；０〜１５％の漂白剤、たとえば過ホウ酸ナトリウムおよび漂白剤前駆体、たとえばテトラアセチルエチレンジアミン；最大１５％の追加の補助剤、たとえば蛍光増白剤、キレート化剤、再汚染防止剤、酵素、染料および香料；ならびに２〜１５％の水を含む。
【００２５】
洗濯用液体洗剤は一般に、５〜４０重量％のアニオン性界面活性剤、たとえば脂肪酸石鹸またはアルキルベンゼンスルホネート；１〜２０％の非イオン界面活性剤、たとえば（ポリ）エトキシル化アルコールおよびアルカノールアミド；０〜３０％のビルダー／金属イオン封鎖剤、たとえばトリポリリン酸ナトリウム、ピロリン酸四カリウム、ソーダ灰およびシリケート；０〜１５％のアルコール／カップリング剤、たとえばエタノール、グリセロールおよびキシレンスルホン酸ナトリウム；１〜５％の追加の補助剤、たとえば再汚染防止剤、蛍光染料、酵素、柔軟仕上げ剤、染料および香料；ならびに４０〜６０％の水を含む。
【００２６】
衣類柔軟剤は一般に、４〜５０重量％のカチオン性活性物質、たとえば第四級アンモニウムまたはイミダゾリン誘導体、さらに０〜５％の他の柔軟成分、たとえばラノリンまたは脂肪酸；０．５〜５％の追加の補助剤、たとえば防腐剤、染料、ｐＨ制御剤、共溶媒、乳白剤、電解質および香料；４９．５〜９５．５％の水を含む。
【００２７】
前述の組成物のいずれにおいても、３−ベンジル−テトラヒドロピランは、洗濯物を洗うまたは処理するのに使用される液体媒体（たとえば、水）で希釈されるとき、生乾きによる悪臭に対して脱臭効果を発揮する十分な量で洗濯用組成物中に存在する。たとえば、希釈時に洗濯用組成物は、窒素系悪臭（たとえば、アンモニア、トリアルキルアミン、たとえばトリメチルアミン、インドール、ニコチン、ピリジン）または硫黄系悪臭（たとえば、メチルメルカプタン、硫化水素、チオグリコレート）のほか、脂肪酸系悪臭（たとえば、イソ吉草酸、カプリル酸、テルペノイド、エステル、アルデヒド）悪臭を含む様々な悪臭をマスクするのに効果的である１５ｐｐｍ、２０ｐｐｍ、２５ｐｐｍ、３０ｐｐｍまたはそれ以上を含ませてもよい。そのため、洗濯物を洗うまたは処理するのに使用される洗濯用組成物は、４０ｐｐｍ、５０ｐｐｍ、７５ｐｐｍ、１００ｐｐｍ、１６０ｐｐｍ、２００ｐｐｍ、２５０ｐｐｍ、３００ｐｐｍ、３２０ｐｐｍ、４００ｐｐｍ、または前述のいずれかの２つの間の範囲で含ませてもよい。
【００２８】
我々の最近の調査から、モラクセラ・オスロエンシス（ＮＢＲＣ  １１１４６０）および黄色ブドウ球菌（ＮＢＲＣ  １３２７６）に対する３−ベンジル−テトラヒドロピランのブロス希釈溶液は、それぞれ室温で１６０ｐｐｍおよび３２０ｐｐｍの最小発育阻止濃度（ＭＩＣ：ｍｉｎｉｍｕｍ  ｉｎｈｉｂｉｔｏｒｙ  ｃｏｎｃｅｎｔｒａｔｉｏｎ）値を示すことが明らかになった。モラクセラ・オスロエンシスおよび／または黄色ブドウ球菌に対して芳香特性および／または抗菌特性を有する他の成分を、３−ベンジル−テトラヒドロピランと組み合わせて使用してもよい。そうした成分として、以下に限定されるものではないが、ＮＯＲＥＥＮＡＬ（商標）（６，８−ジメチル−，（６Ｒ）−７−ノネナール）；ベータ−イオノン（４−（２，６，６−トリメチルシクロヘキサ−１−エン−１−イル）−ブト−３−エン−２−オン）；ティーツリー油；テルピネン−４−オール；チモール；桂葉油；プチグレン油；チョウジ油；パチュリ油；またはそれらの組み合わせが挙げられる。加えて、他の因子、たとえば界面活性剤等の温度、ｐＨ、同一性および濃度も、本条件下でＭＩＣ値に影響を与えることができる。たとえば、一実施形態では、３−ベンジル−テトラヒドロピランと第四級アンモニウムおよび／またはイミダゾリン誘導体柔軟剤との組み合わせがＭＩＣ値の改善をもたらす。
【００２９】
よって本発明の別の実施形態によれば、洗濯物を洗うまたは処理するのに使用される洗濯用組成物は、液体媒体中または洗濯物上のモラクセラ・オスロエンシス（ＮＢＲＣ  １１１４６０）および黄色ブドウ球菌（ＮＢＲＣ  １３２７６）を抑制または殺すのに十分である有効濃度の３−ベンジル−テトラヒドロピランを含めばよい。たとえば、洗濯用組成物中の３−ベンジル−テトラヒドロピランの濃度は、約１６０ｐｐｍ〜約４００ｐｐｍの範囲であってもよい。
【実施例】
【００３０】
実施例１：検知管を用いた脱臭効果
ジプロピレングリコール（ＤＰＧ：ｄｉｐｒｏｐｙｌｅｎｅ  ｇｌｙｃｏｌ）に希釈した例示的悪臭剤（和光純薬工業株式会社（Ｗａｋｏ  Ｐｕｒｅ  Ｃｈｅｍｉｃａｌ  Ｉｎｄｕｓｔｒｉｅｓ，Ｌｔｄ）製のアンモニア０．００５ｗｔ％、トリメチルアミン０．００３ｗｔ％およびメチルメルカプタン０．００１％；ならびにヴェ・マン・フィス製のジアセチル１ｗｔ％）を含むモデル悪臭系を含むサンプルを調製し、１オンスの蓋をした褐色ガラス瓶に保存した。やはりＤＰＧに希釈した例示的悪臭剤（アンモニア、トリメチルアミン、メチルメルカプタンおよびジアセチル）を含むもう１つのサンプルセットを調製し、ＢＥＴＡＨＹＤＲＡＮＥ（商標）（悪臭の５倍濃度）で処理した。各サンプルを２０℃で撹拌した。所定の時間間隔で、バイアル瓶のヘッドスペースガスをガス検知管（株式会社ガステック（ＧＡＳＴＥＣ  Ｃｏｒｐｏｒａｔｉｏｎ）製）に通気し、時間に対してプロットした。ガステック管のモデル番号は、アンモニア＝番号３Ｌ；トリメチルアミン＝番号１８０Ｌ；メチルメルカプタン＝番号７０Ｌ；およびジアセチル＝番号９２であった。
【００３１】
図１〜４に示すように、ＢＥＴＡＨＹＤＲＡＮＥ（商標）の添加なしでは、アンモニア（約５０ｐｐｍ）、トリメチルアミン（約９．５ｐｐｍ）、メチルメルカプタン（約５．５ｐｐｍ）および（約１８０ｐｐｍ）ジアセチルの気相濃度は本質的に、経時的に一定していた。一方、ＢＥＴＡＨＹＤＲＡＮＥ（商標）処理したサンプルは、各悪臭剤の気相濃度の実質的な低下を示し、１２分後の濃度は、アンモニア（約１０ｐｐｍ、約８０％低下）、トリメチルアミン（約４．５ｐｐｍ、約５０％低下）、メチルメルカプタン（約１．２ｐｐｍ、約８０％低下）およびジアセチル（７５ｐｐｍ，約６０％低下）であった。
【００３２】
実施例２：感覚およびガスクロマトグラフィーを用いた脱臭効果
例示的悪臭剤、イソ吉草酸（１０ｐｐｍ）およびノネナール（５ｐｐｍ）を含むサンプルを調製し、蓋をした褐色ガラス瓶に保存した。これらの例示的悪臭剤を含むサンプルを、それぞれの悪臭剤の０．０×、０．５×、１．０×、２．０×および３．０×濃度のＢＥＴＡＨＹＤＲＡＮＥ（商標）で処理した。２時間後、各サンプルを感覚評価（段階０〜５）および定量解析（ＧＣピーク面積）に供した。感覚評価の基準は、０−臭いなし；１−やや弱い；２−弱い；３−容易に検出可能；４−強い；および５−明らかに強いであった。本研究では７サンプルを解析した。
【００３３】
図５Ａおよび５Ｂに示すように、ＢＥＴＡＨＹＤＲＡＮＥ（商標）の曝露量が増加した間、感覚値の低下が徐々に減少した。イソ吉草酸（図５Ａ）では、感覚値が約４の平均値から約２の平均値に低下した。同様の低下がノネナール（図５Ｂ）からも観察された。イソ吉草酸およびノネナールの感覚値の低下は、それぞれ図６Ａおよび６Ｂに示すように、ガスクロマトグラフィー（ＧＣ）を用いたピーク面積解析と相関した。ＧＣ解析は、アジレントテクノロジー（Ａｇｉｌｅｎｔ  Ｔｅｃｈｎｏｌｏｇｉｅｓ）製５９７７Ａ質量分析計を備えたアジレントテクノロジー製７８９０Ｂ  ＧＣを用いて、ＤＢ−ＷＡＸカラム（Ｊ＆Ｗ）６０ｍ×０．２５ｍｍ×０．２５μｍ；注入量１μｌ；注入温度２４０℃；スプリット比１００：１；キャリアガスＨｅ；カラム流量１．２ｍｌ／分；およびオーブン４０℃（１分保持）→８５℃（３℃／分）→２３０℃（１０℃／分）で行った。
【００３４】
実施例３：柔軟剤ベースの脱臭効果
体臭に特徴的な２０ｍＬのモデル悪臭組成物（アンモニア（３０ｐｐｍ）、酢酸（５０ｐｐｍ）、イソバレレート（１０ｐｐｍ）およびノネナール（５ｐｐｍ））で各々処理した複数の３０ｃｍ×３０ｃｍタオル地を、個々に３Ｌの柔軟剤組成物（１ｍＬ）の水溶液で１０分間リンスし、次いで２４時間風乾した。このリンス溶液は、０．８ｗｔ％の１）ジプロピレングリコール（ＤＰＧ）；２）香粧品香料を含んでおり、香粧品香料は４，０００ｐｐｍのＢＥＴＡＨＹＤＲＡＮＥ（商標）を含んでいたため、柔軟剤組成物中には３２ｐｐｍのＢＥＴＡＨＹＤＲＡＮＥ（商標）が含まれていた。
【００３５】
感覚評価の基準は、３２ｐｐｍのＢＥＴＡＨＹＤＲＡＮＥ織物柔軟剤がモデル体臭をどの程度中和できるか、すなわち、できない（０％）；あまりできない（０％）；どちらとも言えない（８％）；ややできる（４３％）；できる（４８％）に基づくものであった。本研究では４２サンプルを解析した。
【００３６】
実施例５−最小発育阻止濃度（ＭＩＣ）
被検細菌黄色ブドウ球菌（ＮＢＲＣ  １３２７６）およびモラクセラ・オスロエンシス（Ｍｏｒａｘｅｌｌａ  ｏｓｌｏｅｎｓｉｓ）（ＮＢＲＣ  １１１４６０）に対する３−ベンジル−テトラヒドロピランのＭＩＣ値を判定するため、試験を行った。試験方法は、３−ベンジル−テトラヒドロピランのサンプルをエタノールに溶解させ、次いで水で希釈して４．０ｗｔ％溶液を得る（エタノールの濃度は６．０％であった）被検ブロス溶液の調製を含んでいた。この溶液の２倍希釈液を、Ｍｕｅｌｌｅｒ  Ｈｉｎｔｏｎ  Ｂｒｏｔｈ（ＭＨＢ）を用いて調製した。
【００３７】
被検細菌の細胞懸濁液を調製するため、黄色ブドウ球菌およびモラクセラ・オスロエンシスを別々にＳｏｙｂｅａｎ−Ｃａｓｅｎ  Ｄｉｇｅｓｔ  Ａｇａｒ上にて３５℃で２４時間培養した。インキュベーション後、それぞれの培養物を生理（等張）食塩水に懸濁した。得られた溶液は、１ミリリットルあたり約１０４個の細胞を含む。これらの懸濁液を接種のための細胞懸濁液として使用した。
【００３８】
０．０５ｍｌの細胞懸濁液を４．９５ｍＬの各被検溶液に移し、続いて３５℃でインキュベートした。生理食塩水を対照として使用した。インキュベーション後、被検細菌の増殖を裸眼で観察し、ＭＩＣを推定した。黄色ブドウ球菌およびモラクセラ・オスロエンシスに対する３−ベンジル−テトラヒドロピランのＭＩＣ試験の結果を表１および２に示す。
【００３９】
【表１】
2019116692.tif 000002
【００４０】
【表２】
2019116692.tif 000003
【００４１】
本発明をその一実施形態または複数の実施形態の記載により説明し、実施形態をかなり詳細に記載してきたが、それらは、添付の特許請求の範囲をそうした詳細に制限するあるいはいかなる意味でも限定することを意図するものではない。たとえば、他の分析技術のため集束剤を他のサンプリング装置に導入することが想定される。当業者に容易に別の利点および改変も現れる。したがって本発明は、そのより広い態様において、特定の詳細、代表的な製品および方法、ならびに図示して記載した例示的例に限定されない。そのため、以下の特許請求の範囲により包含される一般的な発明思想の範囲から逸脱しない範囲でそうした詳細から逸脱してもよい。
【図１】
2019116692.tif 000004
【図２】
2019116692.tif 000005
【図３】
2019116692.tif 000006
【図４】
2019116692.tif 000007
【図５Ａ】
2019116692.tif 000008
【図５Ｂ】
2019116692.tif 000009
【図６Ａ】
2019116692.tif 000010
【図６Ｂ】
2019116692.tif 000011
【外国語明細書】
2019116692000001.pdf